(57)【特許請求の範囲】
【請求項１】
導電性材料で形成された、一つの側面に開口部を有する筐体と、
用紙搬送経路の搬送面が形成され、一方の端部が前記筐体に回動可能に支持されて前記開口部を開閉することで前記用紙搬送経路を開放又は形成する搬送カバーと、
該搬送カバーの前記搬送面に回転可能に支持されて、前記用紙搬送経路に沿って用紙を搬送する搬送ローラーと、
を備え、
前記搬送カバーには、前記搬送面を形成する搬送部の一方の側壁部に、前記搬送ローラーと電気的に接続する接地部材が設けられており、
前記一方の側壁部は中空状に形成され、前記筐体の開口部に対向する内側の面に開口が設けられており、
前記接地部材は弾性を有する導電性の線材により形成され、コイル状の突部を有し、前記突部が前記開口から突出するように前記一方の側壁部に支持されて前記搬送ローラーと導通しており、
前記搬送カバーを回動して前記開口部を閉止すると、前記接地部材が前記筐体に接触して、前記接地部材を介して前記搬送ローラーが前記筐体に接地されることを特徴とする画像形成装置。
【請求項２】
前記搬送カバーは、下端部が前記筐体に回動可能に支持され、前記開口部を閉止した状態で前記筐体と係合するロック機構が上部に設けられており、
前記接地部材は、前記搬送カバーの上部に形成されていることを特徴とする請求項１に記載の画像形成装置。
【請求項３】
前記搬送ローラーは金属製のシャフトを有し、前記シャフトの一端は前記一方の側壁部に導電性の軸受を介して回転可能に支持されており、
前記搬送ローラーは前記軸受を介して前記接地部材と導通されていることを特徴とする請求項１又は２に記載の画像形成装置。
【請求項４】
前記開口部の内側の上方には、定着装置が前記筐体と電気的に接続されて配置されており、
前記搬送カバーを回動して前記開口部を閉止すると、前記接地部材が前記定着装置に接触して、前記接地部材と前記定着装置とを介して前記搬送ローラーが前記筐体に接地されることを特徴とする請求項１〜３のいずれか１項に記載の画像形成装置。
【請求項５】
前記定着装置は、前記用紙搬送経路の搬送面を形成する樹脂カバーを有し、該樹脂カバーには、前記接地部材が挿通可能な窓が形成されており、
前記搬送カバーを回動して前記開口部を閉止すると、前記接地部材は前記樹脂カバーの前記窓を通って前記定着装置に接触することを特徴とする請求項４に記載の画像形成装置。
【発明の詳細な説明】
【技術分野】
【０００１】
本発明は、回動可能な搬送カバーを備えた画像形成装置に関する。
【背景技術】
【０００２】
複写機やプリンター等の画像形成装置には、画像形成される用紙が搬送される搬送経路が設けられている。搬送経路には、搬送方向に沿った所定の間隔で搬送ローラー対が備えられて、搬送経路に沿って用紙を搬送するようになっている。このような搬送経路中で紙詰まりが発生した際に、用紙を簡単に取り除くことができるように、搬送経路は、固定された搬送ユニットに一方の面が形成され、回動可能な搬送カバーに他方の面が形成されて、搬送カバーを回動させることで搬送経路が開放されるように構成される場合がある。
【０００３】
搬送経路が搬送ユニットと搬送カバーとで形成される場合、搬送ローラー対の一方の搬送ローラーは搬送ユニットに回転可能に支持され、他方の搬送ローラーは搬送カバーに回転可能に支持される。ところで、このような搬送ローラーは、用紙との摩擦によって静電気が蓄積する場合がある。搬送ローラーに静電気が蓄積すると、用紙が静電気力で引き付けられて搬送不良が発生する等の問題が発生しやすいので、搬送ローラーは、画像形成装置の筐体に接地されている。
【０００４】
搬送カバーに支持された搬送ローラーを筐体に接地するために、搬送ローラーと電気的に接続するアース部材を搬送カバーに設け、このアース部材を、筐体に設けられた搬送カバーの支軸に軸支させて導通させる構成が知られている。しかしながらこのようなアース部材を設けた場合、搬送カバーの開閉時にアース部材が支軸の周囲を摺動する際に、アース部材と支軸との接触圧が変位したり、アース部材が摩耗したりして、接触不良が起こる虞がある。
【０００５】
また、特許文献１には、搬送カバーと一体に回動する支軸を設けて、アース部材を介して搬送ローラーと支軸とを導通させるように構成された画像形成装置が記載されている。
【先行技術文献】
【特許文献】
【０００６】
【特許文献１】特開２０１５−２８５３４号公報
【発明の概要】
【発明が解決しようとする課題】
【０００７】
しかしながら、上記特許文献１に記載の画像形成装置では、搬送カバーと一体に回動する支軸が、筐体に設けられた軸受部に軸支されているので、支軸と軸受部との接触不良が発生する虞がある。また、支軸を準備して、この支軸を搬送カバーに一体回動可能に取り付けたり、支軸にアース部材を電気的に接続させたりする必要があるため、部品点数や組み立て工数が増えてしまう。
【０００８】
本発明は上記事情を考慮し、部品点数や組み立て工数を増加させることなく、搬送ローラーを確実に接地することができる画像形成装置を提供することを目的とする。
【課題を解決するための手段】
【０００９】
上記課題を解決するため、本発明の画像形成装置は、導電性材料で形成された、一つの側面に開口部を有する筐体と、用紙搬送経路の搬送面が形成され、一方の端部が前記筐体に回動可能に支持されて前記開口部を開閉することで前記用紙搬送経路を開放又は形成する搬送カバーと、該搬送カバーの前記搬送面に回転可能に支持されて、前記用紙搬送経路に沿って用紙を搬送する搬送ローラーと、を備え、前記搬送カバーには、前記搬送面が形成された側の面に、前記搬送ローラーと電気的に接続する接地部材が設けられており、前記搬送カバーを回動して前記開口部を閉止すると、前記接地部材が前記筐体に接触して、前記接地部材を介して前記搬送ローラーが前記筐体に接地されることを特徴とする。
【００１０】
このような構成を採用することにより、接地部材を安定に筐体に当接させることができ、また、接地部材と筐体との接触状態が維持されるので、接地部材と筐体との接触不良が起こり難く、搬送ローラーの接地を確実に行うことができる。したがって、搬送ローラーへの静電気の蓄積を防いで、搬送不良を防止できる。また、搬送カバーに接地部材を予め組み込んでおけばよいので、搬送カバーの筐体への取り付けを簡易化できる。
【００１１】
本発明の画像形成装置において、前記搬送カバーは、下端部が前記筐体に回動可能に支持され、前記開口部を閉止した状態で前記筐体と係合するロック機構が上部に設けられており、前記接地部材は、前記搬送カバーの上部に形成されていることを特徴としても良い。
【００１２】
このような構成を採用することにより、搬送カバーと筐体とが固定される位置の近傍で、接地部材と筐体とが接地されるので、接地部材と筐体との接地状態をより安定にできる。
【００１３】
本発明の画像形成装置において、前記接地部材は弾性を有し、導電性の線材をコイル状に巻き回すことによって形成されていることを特徴としても良い。
【００１４】
このような構成を採用することにより、接地部材と筐体との接触を安定にできる。
【００１５】
本発明の画像形成装置において、前記開口部の内側上方には、定着装置が前記筐体と電気的に接続されて配置されており、前記搬送カバーを回動して前記開口部を閉止すると、前記接地部材が前記定着装置に接触して、前記接地部材と前記定着装置とを介して前記搬送ローラーが前記筐体に接地されることを特徴としても良い。
【００１６】
このような構成を採用することにより、筐体に搬送ローラー接地用の部材を設ける必要がない。
【００１７】
本発明の画像形成装置において、前記定着装置は、前記用紙搬送経路の搬送面を形成する樹脂カバーを有し、該樹脂カバーには、前記接地部材が挿通可能な窓が形成されており、前記搬送カバーを回動して前記開口部を閉止すると、前記接地部材は前記樹脂カバーの前記窓を通って前記定着装置に接触することを特徴としても良い。
【００１８】
このような構成を採用することにより、窓によって接地部材が定着装置に対して案内されるので、接地部材を定着装置に確実に当接させることができる。
【発明の効果】
【００１９】
本発明によれば、簡易な機構によって、搬送カバーに支持された搬送ローラーを確実に接地することができる。
【図面の簡単な説明】
【００２０】
【図１】本発明の一実施形態に係るカラープリンターの内部構造を模式的に示す正面図である。
【図２】本発明の一実施形態に係るカラープリンターの筐体を後側から見た平面図である。
【図３】本発明の一実施形態に係るカラープリンターの搬送カバーの斜視図である。
【図４】本発明の一実施形態に係るカラープリンターの搬送ローラー及び駆動機構の斜視図である。
【図５】本発明の一実施形態に係るカラープリンターの搬送ローラー及び駆動機構の斜視図である。
【図６】本発明の一実施形態に係るカラープリンターの搬送カバーに設けられた弾性突部の斜視図である。
【図７】本発明の一実施形態に係るカラープリンターの定着装置を後側から見た斜視図である。
【図８】本発明の一実施形態に係るカラープリンターの定着装置の平板部を示す斜視図である。
【図９】本発明の一実施形態に係るカラープリンターの定着装置の樹脂カバーを示す斜視図である。
【図１０】本発明の一実施形態に係るカラープリンターにおいて、開口部開放時の搬送カバーと定着装置との位置関係を示す側面図である。
【図１１】本発明の一実施形態に係るカラープリンターにおいて、開口部閉止時の搬送カバーと定着装置との位置関係を示す側面図である。
【図１２】本発明の一実施形態に係るカラープリンターにおいて、開口部開放時の搬送カバーと定着装置との位置関係を示す斜視図である。
【図１３】本発明の一実施形態に係るカラープリンターにおいて、開口部閉止時の搬送カバーと定着装置との位置関係を示す斜視図である。
【発明を実施するための形態】
【００２１】
以下、図面を参照しつつ、本発明の一実施形態に係る画像形成装置について説明する。
【００２２】
まず、図１及び図２を参照して、本実施形態に係るカラープリンター１（画像形成装置）の全体の構成について説明する。図１はカラープリンター１の内部構造を模式的に示す断面図、図２は筐体の平面図である。以下の説明では、図１の紙面左方向をカラープリンターの正面側（前側）とし、左右方向はカラープリンターを前側から見た方向を基準とする。
【００２３】
カラープリンター１は、図１に示されるように、箱型形状の装置本体２を備えている。装置本体２は、板金材料等の導電性の材料で形成された筐体３と、筐体３の外側を覆うカバー４と、を有する。筐体３の後面には、開口部３ａが形成されている。図２に示されるように、筐体３の後面には、上端部の左右側縁から開口３ａ内に延設された取り付け片６が形成されており、下端部の左右両側には、外方向に突出する支軸７が同軸上に形成されている。
【００２４】
開口部３ａは、搬送カバー９によって開閉される。搬送カバー９には、下端部の左右両側に軸受部１０が形成されており、この軸受部１０が開口部３ａの下端部に形成された支軸７に軸支されることで、搬送カバー９は、支軸７を中心として回動して開口部３ａを開閉する。搬送カバー９の詳細な構造については後述する。また、図１に示されるように、筐体３の天面を覆う天面カバーの上面には、用紙が排紙される排紙トレイ１２が形成されている。
【００２５】
装置本体２の下部には、用紙Ｓが収容される給紙カセット１４が着脱可能に設けられており、給紙カセット１４の後方には、給紙カセット１４から用紙を給紙する給紙装置１５が設けられている。また、給紙カセット１４の上方には、レーザー・スキャニング・ユニット（ＬＳＵ）で構成される露光器１６が設けられ、露光器１６の上方には、作像ユニット１７が設けられている。
【００２６】
作像ユニット１７は、複数のローラー間に架設される中間転写ベルト１８と、中間転写ベルト１８の下部に沿ってトナーの色ごとに配置された４個の画像形成部１９と、を有する。各画像形成部１９には、感光体ドラム２０が回転可能に設けられており、感光体ドラム２０の周囲には、帯電器２１と、現像装置２２と、中間転写ベルト１８との間に一次転写部２３を形成する転写ローラー２４と、クリーニング装置２５と、除電器２６とが、一次転写のプロセス順に配置されている。
【００２７】
作像ユニット１７の上方には、各画像形成部１９と対応する４個のトナーコンテナ２７が、トナーの色ごと（Ｙ，Ｍ，Ｃ，Ｋ）に装着されている。また、作像ユニット１７と搬送カバー９との間には、搬送ユニット２９が、下端部を中心として回動可能に設けられている。搬送ユニット２９には、中間転写ベルト１８との間に二次転写部３０を形成する転写ローラー３１が回転可能に支持されている。搬送ユニット２９の上方には、取り付け片６（図２参照）に固定された定着装置３３が備えられている。定着装置３３については後述する。定着装置３３の上方には、排紙トレイ１２に面する排紙部３４が備えられている。
【００２８】
装置本体２の内部には、給紙装置１５から二次転写部３０と定着装置３３とを通って排紙部３４へ向かう用紙の搬送経路３６が設けられている。給紙装置１５と定着装置３３との間の搬送経路３６の外側の面の一部は、搬送ユニット２９の内側の面によって形成されている。搬送経路３６には、給紙装置１５と二次転写部３０との間に、レジストローラー対３７が設けられている。また、搬送経路３６の後側には、定着装置３３の下流側から搬送経路３６から分岐して、レジストローラー対３７の上流側で搬送経路３６に合流する両面印刷経路３８が設けられている。両面印刷経路３８の一部の内側の面は、搬送ユニット２９の外側の面によって形成され、外側の面は搬送カバー９の内側の面によって形成されている。両面印刷経路３８には、搬送方向に沿って所定の間隔を開けて上下の搬送ローラー対４０、４１が設けられている。各搬送ローラー対４０、４１の一方の搬送ローラー４２、４３は搬送ユニット２９に回転可能に支持され、他方の搬送ローラー４４、４５は搬送カバー９に回転可能に支持されている。
【００２９】
次に、このような構成を備えたカラープリンター１の画像形成動作について説明する。各画像形成部１９において、帯電器２１によって感光体ドラム２０の表面が帯電された後、露光器１６からのレーザー光により感光体ドラム２０に対して画像データに対応した露光が行われ、感光体ドラム２０の表面に静電潜像が形成される。静電潜像は現像装置２２により対応する色のトナー像に現像され、トナー像は一次転写部２３において中間転写ベルト１８の表面に一次転写される。以上の動作を各画像形成部１９が順次繰り返すことによって、中間転写ベルト１８上にフルカラーのトナー像が形成される。なお、感光体ドラム２０上に残留したトナーおよび電荷は、クリーニング装置２５および除電器２６によって除去される。
【００３０】
一方、給紙装置１５よって給紙カセット１４から取り出された用紙は、上記した画像形成動作とタイミングを合わせて搬送経路３６に沿って二次転写部３０へ搬送され、二次転写部３０において、中間転写ベルト１８上のフルカラーのトナー像が用紙に二次転写される。トナー像を二次転写された用紙は、搬送経路３６を下流側へと搬送されて定着装置３３に進入し、定着装置３３において用紙にトナー像が定着される。トナー像が定着された用紙は、排紙部３４から排紙トレイ１２に排出される。
【００３１】
次に、図３〜図６を参照して搬送カバーについて説明する。図３は搬送カバーの斜視図、図４及び図５は搬送ローラーの斜視図、図６は弾性突部を拡大して示す斜視図である。
【００３２】
図３に示されるように、搬送カバー９は、筐体３の後面に形成された開口部３ａを閉止可能な寸法の矩形状の平面形状を有し、内側（開口部側）の面には、両面搬送経路３８の外側の搬送面を形成する搬送部５０が中央に設けられ、搬送部５０の左右方向両端に、搬送方向に沿った側壁部５１が設けられている。搬送部５０には、上下の搬送ローラー４４、４５が支持されており、右側の側壁部５１には、上下搬送ローラー４４、４５の駆動機構５３が支持されていると共に接地部材５５が支持されている。
【００３３】
搬送部５０は、搬送方向に沿って波状の搬送面を形成しており、搬送面には、搬送方向に沿って複数のリブ５０ａが設けられている。
【００３４】
左右の側壁部５１は中空状であり、各側壁部５１の外側の面の下端部には、筐体３の支軸７（図１、図２参照）に軸支される軸受部１０が左右方向における同軸上に形成されている。また、右側の側壁部５１には、内側の面の上端部寄りの位置に開口５７が開けられている。
【００３５】
上下の搬送ローラー４４、４５は、搬送面の中央の山部と、下方の山部とに、それぞれ搬送方向と直交する軸を中心として回動するように支持されている。図４及び図５に示されるように、上下搬送ローラー４４、４５は、それぞれ金属製のシャフト６１と、シャフト６１に所定の間隔を開けて固定されたゴム製の左右ローラー部６２と、を有する。
【００３６】
各シャフト６１は、搬送面の幅よりも短い長さである一方で、左右ローラー部６２は、搬送部の幅方向中央に対して対称となるようにシャフト６１に固定されている。つまり、左側のローラー部６２から左方向に突き出たシャフトの長さは、右側のローラー部６２から右方向に突き出たシャフトの長さよりも短くなっている。各シャフト６１の左端部は、搬送面に左軸受６３を介して回転可能に支持されており、各シャフト６１の右端部は、右側壁部５１内に突き出て、右側壁部５１内に、導電性の右軸受６４を介して回転可能に支持されている。図５に示されるように、右軸受６４は、平面形状が菱形状の平板部６４ａと、平板部６４ａの中央に立設された円筒形の軸支部６４ｂと、を有する。平板部６４ａには、長手方向の両端部に孔６４ｃが開けられている。
【００３７】
各シャフト６１の右端部は右軸受６４を貫通して突き出ており、それぞれプーリー６５が固定されている。上搬送ローラー４４のシャフト６１の右端部に固定されたプーリー６５は、大径部６５ａと小径部６５ｂとを有する二段プーリーである。
【００３８】
右側壁部５１内において、上側の右軸受６４の一方の孔６４ｃと下側の右軸受６４の一方の孔６４ｃとの間には、下アース部材６７が介装されている。下アース部材６７は、導電性の線材で形成されており、両端部に設けられたフック６７ａと、上端のフック６７ａよりも下方に設けられた、コイル状に巻き回されたコイル部６７ｂと、を有する。上端のフック６７ａは、上側の右軸受６４の一方の孔６４ｃに係止され、下端のフック６７ａは、下側の右軸受６４の孔６４ｃに係止されている。この下アース部材６７によって、上下の右軸受６４は電気的に接続している。すなわち、上下の搬送ローラー４４、４５が、右軸受６４と下アース部材６７によって電気的に接続するようになっている。
【００３９】
上側の右軸受６４の他方の孔６４ｃには、上アース部材６９が係止されている。上アース部材６９は、導電性の線材で形成されており、両端部に設けられたフック６９ａと、中央に設けられた、コイル状に巻き回されたコイル部６９ｂと、を有する。下端のフック６９ａは、上側の右軸受６４の他方の孔６４ｃに係止されている。
【００４０】
駆動機構５３は、駆動ギア７１及び駆動ギア７１に噛み合う中間ギア７２と、を有する。駆動ギア７１は、小径部７１ａと大径部７１ｂとを有する二段ギアであり、図３に示されるように、右側壁部５１の右側面の上端部に、搬送方向に直交する幅方向に延びる支軸を中心として回転可能に支持されている。中間ギア７２は、大径のギア部７２ａと小径のプーリー部７２ｂとを有する二段構成であり、右側壁部５１の内部の上端部に、搬送方向に直交する幅方向に延びる支軸を中心として回転可能に支持されている。中間ギア７２のギア部７２ａは、駆動ギア７１の大径部７１ｂに噛み合っており、駆動ギア７１と中間ギア７２とは反対方向に回転するようになっている。
【００４１】
中間ギア７２のプーリー部７２ｂは、タイミングベルト７４を介して、上搬送ローラー４４のシャフト６１の右端部に固定されたプーリー６５の小径部６５ｂに噛み合っている。また、上搬送ローラー４４のシャフト６１の右端部に固定されたプーリー６５の大径部６５ａは、タイミングベルト７５を介して、下搬送ローラー４５のシャフト６１の右端部に固定されたプーリー６５に噛み合っている。
【００４２】
このように駆動機構５３によって、上下の搬送ローラー４４、４５は、駆動ギア７１の回転方向と反対方向に回転するようになっている。
【００４３】
接地部材５５は、導電性の線材で形成されており、コイル状に巻き回された突部５５ａと、Ｌ字状に屈曲した屈曲部５５ｂと、を有する。突部５５ａの先端は、リング状に形成されている。接地部材５５は、図６に示されるように、突部５５ａが、右側壁部５１に形成された開口５７から突出するように、屈曲部５５ｂが右側壁部５１に支持されている。屈曲部５５ｂには、上アース部材６９の他方のフック６９ａが係止されている。これにより、接地部材５５は、上アース部材６９を介して上側の搬送ローラー４４と電気的に接続するようになっている。上下の搬送ローラー４４、４５は、右軸受６４と下アース部材６７とによって電気的に接続しているので、上下の搬送ローラー４４、４５は、接地部材５５と電気的に接続するようになっている。
【００４４】
搬送カバー９は、上述の様に、左右側壁部５１に形成された軸受部１０が、筐体３の後面に形成された支軸７に軸支されている。そして、開口部３ａを閉じるように回動して搬送ユニット２９との間に両面搬送経路３８を形成する経路形成位置と、開口部３ａを開くように回動して、両面搬送経路３８を開放する経路開放位置と、の間を、支軸７を中心として回動する。搬送カバー９が経路形成位置に回動すると、駆動機構５３の駆動ギア７１の小径部７１ａは、筐体３に設けられたモーターギア（図示省略）と噛み合うようになっている。また、搬送カバー９の上端部と筐体３の開口部３ａとには、左右方向に離れた２箇所において、搬送カバー９が経路形成位置に回動した状態で互いに係合して搬送カバー９の経路開放位置への回動を規制するロック機構（図示省略）が設けられている。ロック機構は、搬送カバー９の上端部に形成された係止部と、筐体３の開口部３ａの上端に設けられて、バネ付勢によって係止部に係合するフック部と、を有しており、所定の力で搬送カバー９を開くと、フック部が係止部から退避してロック機構が解除されるようになっている。
【００４５】
次に、図７〜図９を参照して、定着装置３３について説明する。図７は定着装置（樹脂カバーなし）の斜視図であり、図８は樹脂カバーを取り外した定着装置の左端部を後方から見た斜視図、図９は樹脂カバーを取り付けた定着装置の左端部を後方から見た斜視図である。
【００４６】
定着装置３３は、加熱ローラー（図示省略）と、加熱ローラーに圧接されて定着ニップを形成する加圧ローラー８１と、加熱ローラーと加圧ローラー８１とを回転可能に支持する定着ハウジング８２と、定着ハウジング８２の外周面を覆う樹脂カバー８３（図９参照）と、を備えている。
【００４７】
定着ハウジング８２は、板金材料で形成されており、後側の面の左右両端縁には外側方に延出した平板部８５がそれぞれ形成されている。樹脂カバー８３は、定着ハウジング８２の後側の面と上側の面とを覆うように設けられている。樹脂カバー８３の外側の面には、搬送方向に沿って複数のリブが形成されて、両面搬送経路３８の内側の搬送面の一部を形成している。また、図９に示されるように、樹脂カバー８３には、定着ハウジング８２の平板部８５の後側の面を覆う延設部８６が形成されている。延設部８６には、長方形状の窓８７が形成されており、窓８７から定着ハウジング８２の平板部８５が露出している。窓８７の周囲は、リブ８８で囲まれている。
【００４８】
上記構成を有するカラープリンター１において、搬送カバー９の回動による搬送カバー９と筐体との接地について、図１０〜図１３を参照して説明する。
【００４９】
搬送カバー９が経路形成位置に回動して開口部３ａを閉止する際、右側壁部５１から突出する接地部材５５は、図１０や図１２に示されるように、突部５５ａが定着装置３３の樹脂カバー８３に設けられた窓８７を通り、図１１や図１３に示されるように、リング状の先端面が、定着ハウジング８２の平板部８５に当接する。定着ハウジング８２は筐体３と電気的に接続しているので、突部５５ａは定着ハウジング８２を介して筐体３と電気的に接続される。さらに、接地部材５５は、上アース部材６９と右軸受６４とを介して上搬送ローラー４４と電気的に接続しており、右軸受６４は下アース部材６７と右軸受６４とを介して下搬送ローラー４５と電気的に接続している。これによって、上下の搬送ローラー４４、４５は、筐体３と接地されることになる。
【００５０】
上記説明したように本発明のカラープリンター１においては、コイル状の接地部材５５を定着装置３３の平板部８５に当接させることで、搬送カバー９に設けられた搬送ローラー４４、４５の接地を行っている。接地部材５５は、弾性力により平板部８５に常に安定に当接させることができ、また、一定の接触面積が維持されるので、接地部材５５と平板部８５との接触不良が起こり難く、搬送ローラー４４、４５の接地を確実に行うことができる。したがって、搬送ローラー４４，４５への静電気の蓄積を防いで、搬送不良を防止できる。また、搬送カバー９に接地部材５５を予め組み込んでおけばよいので、搬送カバー９の筐体３への取り付けを簡易化できる。
【００５１】
さらに、搬送カバー９は下端部を中心として経路形成位置に回動すると、上部においてロック機構によって筐体に固定されるようになっている。つまり、搬送カバー９と筐体３とが固定される位置の近傍で、接地部材５５と定着装置３３とが接地される。したがって、接地部材５５と定着装置３３との接地状態をより安定にできる。なお、接地部材５５は必ずしも定着装置３３に当接する必要はなく、筐体３や、筐体３と電気的に接続している部材に当接してもよい。ただし、本実施形態においては、搬送経路のレイアウト上、定着装置３３が搬送ユニット２９の上方に配置されているので、接地部材５５を定着装置３３に接地することで、接地可能な部材等を新たに設ける必要がなくなる。また、定着装置３３の樹脂カバー８２に設けた窓８７を通して接地部材５５を案内できるので、接地部材５５を確実に平板部８５に当接させることができる。
【００５２】
なお、搬送カバー９を開くと、接地部材５５が定着装置３３から離間するので搬送ローラー４４、４５は接地されないが、搬送カバー９を開いた状態では搬送ローラー４４、４５は回転しないので静電気の蓄積が起こり難く接地の必要はない。
【００５３】
また、接地部材５５は、導電性の線材をコイル状に巻き回して形成されているので、容易に形成することができる。さらに、適宜な弾性力を有すると共にリング状の先端面で平板部に当接するので、接地部材５５と平板部８５との接触状態を安定にできる。
【００５４】
上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５５】
１  カラープリンター（画像形成装置）
３  筐体
３ａ  開口部
９  搬送カバー
３３  定着装置
３６  用紙搬送経路
４４、４５  搬送ローラー
５５  接地部材
６７  下アース部材
６９  上アース部材
８３  樹脂カバー
８７  窓
【図１】
0006365452.tif 000002
【図２】
0006365452.tif 000003
【図３】
0006365452.tif 000004
【図４】
0006365452.tif 000005
【図５】
0006365452.tif 000006
【図６】
0006365452.tif 000007
【図７】
0006365452.tif 000008
【図８】
0006365452.tif 000009
【図９】
0006365452.tif 000010
【図１０】
0006365452.tif 000011
【図１１】
0006365452.tif 000012
【図１２】
0006365452.tif 000013
【図１３】
0006365452.tif 000014